(57)【要約】【課題】色温度を簡便に調整することができる画像表示装置を提供すること。【解決手段】本発明の実施の形態に係る液晶表示装置１００は、入力されるＲＧＢの画像データに対し色温度の調整を行う色温度調整部１０３と、色温度調整部１０３により色温度の調整がなされた画像データに基づいて、画像表示を行う液晶表示素子１０１とを備える、色温度調整部１０３は、色温度を補正するための演算係数を設定し、Ｒ及びＧの画像データに対して加算する演算係数と、Ｂの画像データから減算する演算係数とが同一の値であるものである。【選択図】  図１
2008060787.tif 000002
【特許請求の範囲】
【請求項１】
入力されるＲＧＢの表示信号に対し色温度の調整を行う色温度調整部と、
前記色温度調整部により色温度の調整がなされた表示信号に基づいて、画像表示を行う表示素子とを備える画像表示装置であって、
前記色温度調整部は、色温度を補正するための演算係数を設定し、
前記Ｒ及びＧの表示信号に対して加算又は減算する演算係数と、前記Ｂの表示信号に対して減算又は加算する演算係数とが同一の値である画像表示装置。
【請求項２】
前記色温度調整部は、
色温度を高くするときは、前記Ｂの表示信号に対して前記演算係数を加算し、かつ、前記Ｒ及びＧの表示信号から前記演算係数を減算し、
色温度を低くするときは、前記Ｂの表示信号から前記演算係数を減算し、かつ、前記Ｒ及びＧの表示信号に対して前記演算係数を加算する請求項１に記載の画像表示装置。
【請求項３】
前記色温度調整部は、シリアル入力される前記ＲＧＢの表示信号に対し、順次１画素ずつ色温度の調整を行う請求項１又は２に記載の画像表示装置。
【請求項４】
シリアル入力されるデジタルの前記ＲＧＢの表示信号をラッチするデータラッチ部をさらに備え、
前記色温度調整部は、前記データラッチ部の入力側に設けられている請求項３に記載の画像表示装置。
【請求項５】
色温度に応じてあらかじめ設定された複数の前記演算係数が記憶されたＬＵＴをさらに備える請求項１〜４のいずれか１項に記載の画像表示装置。
【請求項６】
入力されるＲＧＢの表示信号に対し色温度の調整を行う色温度調整方法であって、
前記Ｒ及びＧの表示信号に対して演算係数を加算又は減算し、
前記Ｂの表示信号に対して、前記Ｒ及びＧの表示信号に対して加算又は減算した演算係数と同一の値の演算係数を減算又は加算する色温度調整方法。
【請求項７】
色温度を高くするときは、前記Ｂの表示信号に対して前記演算係数を加算し、かつ、前記Ｒ及びＧの表示信号から前記演算係数を減算し、
色温度を低くするときは、前記Ｂの表示信号から前記演算係数を減算し、かつ、前記Ｒ及びＧの表示信号に対して前記演算係数を加算する請求項６に記載の色温度調整方法。
【請求項８】
シリアル入力される前記ＲＧＢの表示信号に対し、順次１画素ずつ色温度の調整を行う請求項６又は７に記載の画像表示装置。
【発明の詳細な説明】
【技術分野】
【０００１】
本発明は、画像表示装置及び色温度調整方法に関し、特に、表示素子の色温度を調整する機能を備えた画像表示装置及び色温度調整方法に関する。
【背景技術】
【０００２】
液晶ディスプレイ等の画像表示装置は、表示する画像の種類、視聴する照明環境及びユーザの嗜好に応じて画像の色温度を調整する機能を備えることが望まれている。色温度とは、物体の可視域での放射が黒体放射であると仮定して、その放射の色から推定される温度をいう。このように色温度を調整する機能を備える画像表示装置が、例えば特許文献１に開示されている。
【特許文献１】特開２００５−２５３０５０号公報
【発明の開示】
【発明が解決しようとする課題】
【０００３】
通常、色温度の調整を行う際には、実際のＲＧＢのそれぞれの色度データと目標となる色温度の白の色度データとに基づいて、３×３のマトリクス演算を行う。これにより、所望の色温度が表示できるように、ＲＧＢの各表示信号を変換していた。
【０００４】
しかしながら、従来の３×３のマトリクス演算は小数点演算を含んでおり、複雑である。また、このように色温度を調整するためには、複雑なアルゴリズムの演算処理を行うための演算回路を新たに付加しなければならず、回路規模が大きくなり、コストアップにつながるという問題があった。
【０００５】
また、近年、カメラ付携帯電話や、高解像度のデジタルカメラなどの小型・軽量の画像表示装置が普及している。これらの画像表示装置において上述した色温度補正を行う場合、回路規模が大きいため、小型の画像表示装置には搭載が困難であるという問題が生じていた。
【０００６】
本発明は、このような問題を背景としてなされたものであり、本発明の目的は、色温度を簡便に調整することができる画像表示装置及び色温度調整方法を提供することである。
【課題を解決するための手段】
【０００７】
本発明の第１の態様に係る画像表示装置は、入力されるＲＧＢの表示信号に対し色温度の調整を行う色温度調整部と、前記色温度調整部により色温度の調整がなされた表示信号に基づいて、画像表示を行う表示素子とを備える画像表示装置であって、前記色温度調整部は、色温度を補正するための演算係数を設定し、前記Ｒ及びＧの表示信号に対して加算又は減算する演算係数と、前記Ｂの表示信号に対して減算又は加算する演算係数とが同一の値であるものである。これにより、複雑な演算をすることなく、簡便に色温度を調整することができる。
【０００８】
本発明の第２の態様に係る画像表示装置は、上記の画像表示装置において、前記色温度調整部は、色温度を高くするときは、前記Ｂの表示信号に対して前記演算係数を加算し、かつ、前記Ｒ及びＧの表示信号から前記演算係数を減算し、色温度を低くするときは、前記Ｂの表示信号から前記演算係数を減算し、かつ、前記Ｒ及びＧの表示信号に対して前記演算係数を加算するものである。これにより、簡便に色温度を調整することができる。
【０００９】
本発明の第３の態様に係る画像表示装置は、上記の画像表示装置において、前記色温度調整部は、シリアル入力される前記ＲＧＢの表示信号に対し、順次１画素ずつ色温度の調整を行うものである。これにより、簡便に色温度を調整することができる。
【００１０】
本発明の第４の態様に係る画像表示装置は、上記の画像表示装置において、シリアル入力されるデジタルの前記ＲＧＢの表示信号をラッチするデータラッチ部をさらに備え、前記色温度調整部は、前記データラッチ部の入力側に設けられているものである。これにより、回路規模の増大を抑制することができる。
【００１１】
本発明の第５の態様に係る画像表示装置は、上記の画像表示装置において、色温度に応じてあらかじめ設定された複数の前記演算係数が記憶されたＬＵＴを備えるものである。これにより、より簡便に色温度を調整することができる。
【００１２】
本発明の第６の態様に係る色温度調整方法は、入力されるＲＧＢの表示信号に対し色温度の調整を行う色温度調整方法であって、前記Ｒ及びＧの表示信号に対して演算係数を加算又は減算し、前記Ｂの表示信号に対して、前記Ｒ及びＧの表示信号に対して加算又は減算した演算係数と同一の値の演算係数を減算又は加算する。これにより、簡便に色温度を調整することが可能となる。
【００１３】
本発明の第７の態様に係る色温度調整方法は、上記の色温度調整方法において、色温度を高くするときは、前記Ｂの表示信号に対して前記演算係数を加算し、かつ、前記Ｒ及びＧの表示信号から前記演算係数を減算し、色温度を低くするときは、前記Ｂの表示信号から前記演算係数を減算し、かつ、前記Ｒ及びＧの表示信号に対して前記演算係数を加算する。これにより、簡便に色温度を調整することができる。
【００１４】
本発明の第８の態様に係る色温度調整方法は、上記の色温度調整方法において、シリアル入力される前記ＲＧＢの表示信号に対し、順次１画素ずつ色温度の調整を行う。これにより、回路規模の増大を抑制することができる。
【発明の効果】
【００１５】
本発明によれば、色温度を簡便に調整することができる画像表示装置及び色温度調整方法を提供することができる。
【発明を実施するための最良の形態】
【００１６】
以下に、本発明を適用可能な実施の形態について図を用いて説明する。以下の説明は、本発明の実施形態を説明するものであり、本発明が以下の実施形態に限定されるものではない。説明の明確化のため、以下の記載及び図面は、適宜、省略及び簡略化がなされている。
【００１７】
実施の形態１．
本発明の実施の形態１に係る画像表示装置について、図１を参照して説明する。ここでは、画像表示装置に用いられる表示素子として、アクティブマトリクス型のＴＦＴ液晶表示素子を例として説明する。図１は、本実施の形態に係る液晶表示装置１００のブロック図である。液晶表示装置１００は、液晶表示素子１０１、駆動回路１０２などを備える。本実施の形態に係る液晶表示装置１００は、色温度を調整する機能を備えている。なお、表示素子は、アクティブマトリクス型の液晶表示素子に限らず、パッシブマトリクス型の液晶表示素子であってもよい。また、表示素子は、液晶表示素子に限らず、プラズマディスプレイ、有機ＥＬ表示素子などの他の表示素子であってもよい。
【００１８】
液晶表示素子１０１は、外部から入力されるＲＧＢの画像データに基づいて画像の表示を行う。液晶表示素子１０１は、ＴＦＴ（Thin Film Transistor）アレイ基板（不図示）と対向配置される対向基板（不図示）との間に液晶を挟持した構成を有している。ＴＦＴアレイ基板及び対向基板は、ガラスなどからなる透明な絶縁性基板である。ＴＦＴアレイ基板には、水平方向に複数のゲート線（走査線）が一定間隔を隔てて形成されている。また、ＴＦＴアレイ基板には、垂直方向に複数のソース線（信号線）が一定間隔を隔てて形成されている。ゲート線とソース線とは、絶縁膜を介して交差するよう配置されている。そして、ゲート線とソース線との交差点近傍にスイッチング素子である薄膜トランジスタ（ＴＦＴ）が形成されている。
【００１９】
また、ゲート線とソース線との間には、それぞれ画素電極が形成されている。画素電極は、例えばＩＴＯ（Indium Tin Oxide）などの透明導電膜から形成されている。液晶表示素子１０１の表示領域は、マトリクス状に配置された複数の画素により構成されている。さらに、液晶表示素子１０１には、表示領域を囲むように設けられた額縁領域が形成されている。上述のＴＦＴのゲートがゲート線に、ソースがソース線に、ドレインが画素電極に、それぞれ接続される。画素電極には、ＴＦＴを介してソース線から駆動電圧が供給される。
【００２０】
一方、対向基板には、例えば、ブラックマトリクス（ＢＭ）、及びＲ、Ｇ、Ｂの着色層からなるカラーフィルタが形成されている。着色層はＢＭの間に形成され、ＴＦＴアレイ基板に形成された画素電極に対応して形成されている。また、この着色層とＢＭの上には、ＩＴＯ等の透明導電膜からなるコモン電極が形成されている。コモン電極は、実際には画素電極と対向するように対向基板の略全面に形成される透明電極である。
【００２１】
このようなＴＦＴアレイ基板と対向基板とが一定の間隔を隔ててシール材を介して貼り合わせられている。ＴＦＴアレイ基板と対向基板との間隙には、液晶が封入されている。また、ＴＦＴアレイ基板、及び対向基板の外面には、偏光板（不図示）がそれぞれ貼着されている。各基板に貼着されたそれぞれの偏光板は、それぞれ所定の方向に吸収軸を有している。
【００２２】
液晶表示素子１０１の額縁領域には、駆動回路１０２が電気的に接続されている。駆動回路１０２は、外部から入力される画像データに基づいて、画像の表示に必要な各種の制御信号、走査電圧及び駆動電圧などを液晶表示素子１０１に出力する。駆動回路１０２は、色温度調整部１０３、タイミング制御部１０４、メモリ制御部１０５、フレームメモリ１０６、データラッチ１０７、アナログ回路部１０８、ソースドライバ１０９、ゲートドライバ１１０などを備えている。本実施の形態においては、ソースドライバ１０９及びゲートドライバ１１０等を１チップのドライバＩＣとして構成した例を示している。本発明において注目すべき点は、色温度を調整する色温度調整部１０３であり、後に詳述する。
【００２３】
駆動回路１０２は、ＣＯＧ（Chip  On  Glass）技術を用いて、ＴＦＴアレイ基板の表面に直接、実装されている。なお、ＣＯＧ技術に限られず、それ以外の技術を用いて、液晶表示素子１０１と駆動回路１０２とが接続された構成としてもよい。例えば、ＴＡＢ（Tape  Automated  Bonding）技術を用いて、ＦＰＣ（Flexible  Printed  Circuit）の上にＩＣチップがボンディングされたＴＣＰ（Tape  Carrier  Package）を液晶表示素子１０１に電気的に接続する構成としてもよい。また、ＩＣチップをハード基板にボンディングするＣＯＢ（Chip  On  Board）技術を用いてもよい。
【００２４】
液晶表示素子１０１の背面側には、バックライトユニットが備えられている。バックライトユニットは、液晶表示素子１０１の反視認側から液晶表示素子１０１に対して面状の光を照射する。バックライトユニットとしては、例えば、光源、導光板、プリズムシートなどを備えた一般的な構成のものを用いる。
【００２５】
次に、駆動回路１０２について詳細に説明する。駆動回路１０２は、上述したように、色温度調整部１０３、タイミング制御部１０４、メモリ制御部１０５、フレームメモリ１０６、データラッチ１０７、アナログ回路部１０８、ソースドライバ１０９、ゲートドライバ１１０を備えている。
【００２６】
色温度調整部１０３は、外部から入力される画像データに対して色温度の調整を行う。従って、ここでは、外部から入力される画像データが、色温度を調整する表示信号である。色温度調整部１０３には、図示しないＭＰＵからＩ／Ｆを介して同期信号が入力される。色温度調整部１０３は、同期信号に従ってシリアル入力されるＲＧＢの画像データに対して、１画素ずつ色温度を調整するための演算を行う。
【００２７】
また、色温度調整部１０３は、色温度の調整を行った画像データをタイミング制御部１０４に転送する。また、タイミング制御部１０４には、上述の同期信号が入力される。タイミング制御部１０４は、同期信号に従って各種の制御信号及びタイミング信号を生成する。
【００２８】
メモリ制御部１０５は、タイミング制御部１０４からの制御信号に従って、入力される色温度が調整された画像データを１フレームごとにまとめ、表示データとしてフレームメモリ１０６に記憶させる。データラッチ１０７は、タイミング制御部１０４からのタイミング信号に従って、フレームメモリ１０６に記憶された表示データをラッチする。また、タイミング制御部１０４からのタイミング信号に従って、データラッチ１０７からソースドライバ１０９へ表示データが出力される。
【００２９】
アナログ回路部１０８は、液晶を駆動するための駆動電圧及び走査電圧を生成する。上述したように、ソースドライバ１０９には、色温度調整部１０３において色温度が調整された画像データに対応した表示データが入力されている。従って、ソースドライバ１０９は、タイミング信号に従って、色温度が調整された表示データに対応した駆動電圧を選択して、液晶表示素子１０１に対して出力する。一方、ゲートドライバ１１０は、液晶表示素子１０１に走査電圧を出力する。また、アナログ回路部１０８は、対向基板に設けられたコモン電極用の電圧を生成する。
【００３０】
ここで、液晶表示装置１００の駆動方法について説明する。まず、外部電源からＤＣ／ＤＣコンバータを介して、ゲートドライバ１１０、ソースドライバ１０９及び各ロジック回路へ電圧を供給する。そして、色温度調整部１０３に対して外部からＲＧＢの画像データ及び同期信号が入力される。色温度調整部１０３にシリアル入力されたＲＧＢの画像データは、後述する色温度調整方法に従って、１画素ずつ色温度の調整が行われる。色温度の調整が行われた画像データは、タイミング制御部１０４を介してメモリ制御部１０５に転送され、１フレームごとにまとめられて表示データとしてフレームメモリ１０６内に記憶される。
【００３１】
また、タイミング制御部１０４に入力された同期信号は、各種の制御信号及びタイミング信号に変換される。同期信号は、例えば、１画素分の画像データの入力サイクルであるドットクロック信号、水平同期信号Ｈｓｙｎｃ、垂直同期信号Ｖｓｙｎｃなどを含む。タイミング制御部１０４は受信した同期信号を処理し、データラッチ１０７、アナログ回路部１０８、ソースドライバ１０９及びゲートドライバ１１０へ供給すべき各種タイミング信号を、必要なタイミングで出力する。
【００３２】
ゲートドライバ１１０へは、スタートパルス信号、クロック信号及びイネーブル信号などが、タイミング制御部１０４から入力される。スタートパルス信号が選択電圧を出力するゲート線を選択し、イネーブル信号が走査電圧の出力制御を行うことによって、各ゲート線において順次選択電圧が出力される。典型的には、ゲートドライバ１１０は、１行目から後段の行に向けて、各行の画素を順次走査するように走査電圧を出力する。
【００３３】
データラッチ１０７は、タイミング信号に従って、画像データに基づいて色温度が調整された表示データをソースドライバ１０９へ出力する。また、上述したように、ソースドライバ１０９は、色温度調整部１０３において色温度が調整された表示データに対応した駆動電圧を選択する。ソースドライバ１０９は、液晶表示素子１０１に形成されている各ソース線に対して、タイミング制御部１０４から指示されるタイミングに従って、適切な色温度の調整がなされた駆動電圧を供給する。
【００３４】
そして、ソースドライバ１０９から供給される駆動電圧が、ＴＦＴのソース／ドレインを介して画素電極に供給される。一方、対向基板上に形成されているコモン電極には、アナログ回路部１０８からコモン電圧が印加される。これにより、画素電極とコモン電極との間の液晶に電界が印加される。このように、各スイッチング素子を駆動させ、蓄積させえる電荷量を階調に応じて制御することにより、画素ごとに液晶の配向状態が変化する。これによって、バックライト（不図示）から入射される光の透過量を制御し、画素ごとに明るさを変化さえることができる。液晶表示素子１０１の各画素は、透過する光量に応じた色の濃淡とＲＧＢいずれかの色表示により、様々な色合いの表示を行う。
【００３５】
ここで、図２を参照して、色温度の調整方法について具体的に説明する。図２は、色温度の調整方法を示すフロー図である。まず、図２に示すように、ユーザは好みに応じて色温度を設定する（ステップＳ１）。液晶表示装置１００は図示しない操作部を備えており、ユーザからの操作指示を操作部で受け付けることにより、色温度の調整が開始される。ユーザは、現在表示されている表示画面を見て、色温度を一段階高くするか又は低くするかを操作部から入力する。色温度調整部１０３は、操作部から入力される操作指示が色温度を上昇させるものであるか、下降させるものであるかを判断する（ステップＳ２）。
【００３６】
そして、色温度を変更する場合、色温度調整部１０３は、外部からシリアル入力されるＲＧＢの画像データに対して、所定の演算係数の加減算を行う。現在表示されている色温度よりも一段階高い色温度に設定する場合には、Ｒ及びＧの画像データからあらかじめ設定されている演算係数（α）を減算する。また、Ｂの画像データに対して、Ｒ及びＧの画像データから減算した当該演算係数と同一の値の演算係数（α）を加算する（ステップＳ３）。すなわち、色温度が相対的に高い青色の画像データの値を高くし、色温度が相対的に低い赤色及び緑色の画像データの値を低くする。このような演算処理を行うことにより、簡便に色温度を高くすることができる。
【００３７】
一方、現在表示されている色温度よりも一段階低い色温度に設定する場合には、Ｒ及びＧの画像データに対してあらかじめ設定されている演算係数（α）を加算する。また、Ｂの画像データから、Ｒ及びＧの画像データに加算した当該演算係数と同一の値の演算係数（α）を減算する（ステップＳ４）。すなわち、色温度が相対的に高い青色の画像データの値を低くし、色温度が相対的に低い赤色及び緑色の画像データの値を高くする。このような演算処理を行うことにより、簡便に色温度を低くすることができる。また、色温度を変更しない場合には、演算処理を行わず、入力されたＲＧＢの画像データをそのままタイミング制御部１０４に出力する。
【００３８】
これらの演算処理は、外部からシリアル入力されるＲＧＢの画像データに対して、１画素ずつ行われる。このため、演算処理を行うためのメモリや、複雑な演算処理を行うためのロジック回路が必要なくなる。これにより、回路構成の増大を抑制することができる。
【００３９】
そして、ユーザは、表示画面を見ながら好みの色合いになった場合には、処理を終了する（ステップＳ６ＹＥＳ）。また、表示画面の色合いが好みの色合いでない場合には（ステップＳ６ＮＯ）、ステップＳ１に戻り、表示画面を見ながら好みの色合いになるまで、図示しない操作部から色温度を上げる又は下げる、いずれかの操作指示の入力を繰り返す。これにより、ユーザの嗜好に応じた色温度の表示を行うことができる。なお、ユーザからの操作指示の入力のみならず、外部環境の変化に応じて上記の演算処理を行い、色温度を自動的に変化させるようにすることも可能である。
【００４０】
図３に、このような演算処理によって色温度を変化させたときの液晶表示素子１０１の色の色度図上の軌跡を示す。図３において、一点鎖線は、本実施の形態に係る色温度調整方法を行ったときの液晶表示素子１０１の色の色度図上の軌跡を示している。また、破線は、色温度を変化させたときの黒体（完全放射体）の色の色度図上の軌跡（黒体軌跡）を示している。本実施の形態に係る液晶表示装置１００においては、液晶表示素子１０１に表示される色は、色温度を下げるに従って青色から黄色に変化する。すなわち、図３に示すように、黒体の色の軌跡からはずれることとなるが、実質的に色温度を下げる又は上げることができる。
【００４１】
このように、複雑な演算処理を行わず、ＲＧＢの表示データのそれぞれに加減算する演算係数を同一の値としているため、回路規模の増大を抑制できる。
【００４２】
なお、上述の例では、駆動回路１０２内にソースドライバ１０９及びゲートドライバ１１０などを１チップとして構成したが、これに限定されず、別々に構成することも可能である。図４に、本発明に係る液晶表示装置１００の他の構成を示す。図４に示すように、液晶表示装置１００は、タイミングコントローラ１１１、ソースドライバ１０９、ゲートドライバ１１０を有している。なお、図４において、図１と同一の構成要素には同一の符号を付し説明を省略する。
【００４３】
タイミングコントローラ１１１は、上述した表示に必要な各種の制御信号及びタイミング信号を生成する。図４に示すように、タイミングコントローラ１１１は、色温度調整部１０３、タイミング制御部１０４、ＬＣＤドライバ制御信号生成部１１２を備えている。タイミング制御部１０４は、上述のように、入力される同期信号に従って各種の制御信号を生成する。また、ＬＣＤドライバ制御信号生成部１１２は、後段に設けられるソースドライバ１０９及びゲートドライバ１１０を制御するためのタイミング信号を生成する。すなわち、ＬＣＤドライバ制御信号生成部１１２は、上述のスタートパルス信号、クロック信号、及びイネーブル信号などを生成する。
【００４４】
タイミングコントローラ１１１内に設けられた色温度調整部１０３には、ＲＧＢの画像データがシリアル入力される。また、色温度調整部１０３には、上述したように、図示しないＭＰＵから同期信号が入力される。色温度調整部１０３は、同期信号に従って、シリアル入力されるＲＧＢの画像データに対して上記のように色温度の調整を行い、表示データを生成する。すなわち、色温度を高くするときには、Ｒ及びＧの画像データから所定の演算係数を減算し、かつ、Ｂの画像データに対しこれと同一の値の演算係数を加算する。すなわち、色温度が相対的に高い青色の画像データの値を高く、色温度が相対的に低い赤色及び緑色の画像データの値を低くする。このような演算処理を行うことにより、液晶表示素子１０１は青みがかった色の表示を行うことができる。つまり、液晶表示素子１０１の色温度を高くすることができる。
【００４５】
一方、色温度を低くするときには、Ｒ及びＧの画像データに対し所定の演算係数を加算し、かつ、Ｂの画像データからこれと同一の値の演算係数を減算する。すなわち、色温度が相対的に高い青色の画像データの値を低くし、色温度が相対的に低い赤色及び緑色の画像データの値を高くする。このような演算処理を行うことにより、液晶表示素子１０１は、黄みがかった色の表示を行うことができる。つまり、液晶表示素子１０１の色温度を低くすることができる。従って、色温度調整部１０３は、一定の演算係数をＲ及びＧ、Ｂに対して加減算するだけで、簡便に色温度を調整することができる。
【００４６】
また、このようにタイミングコントローラ１１１の入力側に色温度調整部１０３を設けることにより、シリアル入力される画像データに対して、１画素ずつ加減算を行い色温度の調整をすることができる。このため、回路規模の増大を抑制することが可能となる。なお、ここでは、色温度調整部１０３をタイミングコントローラ１１１の入力側に設ける構成としたが、これに限定されない。例えば、タイミングコントローラ１１１の出力側に設けることも可能である。タイミングコントローラ１１１の出力側においても、ＲＧＢの画像データは後段にシリアル出力されるため、回路規模の増大は生じない。
【００４７】
なお、ここでは、１つの演算係数を設定し、ユーザからの操作部への操作指示入力回数に応じて色調整を複数回行う構成としたが、これに限定されない。例えば、色温度に応じて複数の演算係数をあらかじめ設定したＬＵＴ（Look-up table）を設けてもよい。これにより、複数回の操作によらず、ユーザの嗜好に応じた色温度に簡便に調整することができる。
【００４８】
また、上述の例では、ドライバＩＣやタイミングコントローラ内に色温度調整機能を設けるハードウェア構成としたが、ＭＰＵのプログラムの一部としてソフトウェア構成とすることも可能である。さらに、デジタルのＲＧＢの画像データに対して演算係数を加減算する構成に限られず、目標とする色温度に応じて、ソースドライバ１０９から出力するアナログの駆動電圧を変化させるようにすることも可能である。この場合、抵抗値の異なる抵抗分割回路を設け、色温度の調整に応じて、駆動電圧を変化させることができる。
【図面の簡単な説明】
【００４９】
【図１】実施の形態に係る液晶表示装置の構成の一例を示すブロック図である。
【図２】実施の形態に係る色温度調整方法を説明するためのフロー図である。
【図３】実施の形態に係る色温度調整を行ったときの液晶表示装置が表示する色の軌跡を示す色度図である。
【図４】実施の形態に係る液晶表示装置の他の構成例を示すブロック図である。
【符号の説明】
【００５０】
１００  液晶表示装置
１０１  液晶表示素子
１０２  駆動回路
１０３  色温度調整部
１０４  タイミング制御部
１０５  メモリ制御部
１０６  フレームメモリ
１０７  データラッチ
１０８  アナログ回路
１０９  ソースドライバ
１１０  ゲートドライバ
１１１  タイミングコントローラ
１１２  ＬＣＤドライバ制御信号生成部
【図１】
2008060787.tif 000003
【図２】
2008060787.tif 000004
【図３】
2008060787.tif 000005
【図４】
2008060787.tif 000006